(57)【要約】【課題】指環部を備えた刃体を枢軸により回動自在に軸着した理髪用鋏において、頭髪等の切断時に指先操作で一方の刃体を拗らせなくても両刃体の刃が浮き上がることがなく、切れ味を良好にする。【解決手段】座金１１は一側に枢軸７が嵌挿される軸孔１２を有すると共に、他側に調節ネジ１７が捩じ込まれるネジ孔１３を有し、また軸孔１２の両側には突部１４が屈曲形成されている。刃体３及び４を軸着する枢軸７には軸孔１２により座金１１が通され、ついで緊締ナット１６が捩じ込まれ、ネジ孔１３に捩込まれた調節ネジ１７が刃体４に形成される凹部１８に嵌合係止して座金１１の回り止めを行う。両突部１４が枢軸７の両側で刃体４を押さえ、刃体４の浮き上がりを阻止する。【選択図】図５
2006068183.tif 000002
【特許請求の範囲】
【請求項１】
指環部を備えた第１の刃体と第２の刃体を基部に形成した平坦部において枢軸により回動自在に軸着すると共に、第１又は第２の刃体より突出する枢軸に座金を介して緊締ナットが捩じ込まれる鋏であって、上記座金が高剛性をなし、しかも該座金には枢軸両側の刃体幅方向で第１又は第２の刃体に当たる突部と、枢軸後方で第１又は第２の刃体に係合して座金の回り止めを行う係止手段を設けたことを特徴とする鋏。
【請求項２】
上記係止手段が座金に捩じ込まれ、座金からの突出端が第１又は第２の刃体に形成される凹部に嵌合係止する調節ネジで構成されることを特徴とする請求項１記載の鋏。
【発明の詳細な説明】
【技術分野】
【０００１】
本発明は、鋏、ことに理容院や美容院で用いられるのに適した理髪用鋏に関する。
【背景技術】
【０００２】
図１は、理髪用鋏について示すもので、この鋏は一般に指環部１、２を備えた刃体３、４を基部の平坦部５、６において枢軸７により回動自在に軸着した構成を有し、頭髪等を切断するときには、指環部１、２に通した指先の操作により鋏を開閉しているが、図２の一点鎖線で示すように刃体３、４の刃先が浮くと切れ味が著しく低下することから、鋏を開閉操作するときには、両刃体３、４の刃先が密着するように指先操作で一方の刃体３を拗らせて図２の実線で示すように互いの刃先が当たるように操作していた。
【０００３】
また下記特許文献１には、枢軸に螺合する緊締ナットと刃体間に十字形状をなす板バネ体を介装し、一方の腕に上向き突部を、他方の腕に下向き突部を形成して、該下向き突部と先方腕部先端部とで刃体を押さえ、頭髪等の切断時に刃体が浮き上がるのを阻止する理髪用鋏が開示されている。
【特許文献１】特開平９−２８５６５６号
【発明の開示】
【発明が解決しようとする課題】
【０００４】
特許文献１に開示される理髪用鋏では、緊締ナットを捩じ込むと、緊締ナットは先方腕部と上向き突部に当たって板バネ体を押し込むが、緊締ナットを締め込み、上向き突部を介して一方の腕を押下げると、他方の腕が持上げられようとし、下向き突部が刃体から浮き上がるか、刃体の押さえが軽減され、刃体が浮き上がるのを阻止する機能が損なわれる。
【０００５】
一方の腕に形成される上向き突部を下向き突部に変えたとしても、緊締ナットは先方腕部に強く当たり、下向き突部による刃体への押さえ力が軽減されるほか、板バネ体は、先方腕部の先端部、左右の両下向き突部及び後方腕部の差込み部の４点で刃体に当たるようになるが、実質的には、先方腕部先端部、後方腕部の差込み部及び両下向き突部のうちの一方の３点で強く当たり、両下向き突部のうちの一方は刃体より浮いたり、刃体に当たるとしても、当たりが軽減され、刃体の刃先が浮き上がるのを阻止することができなくなるおそれがある。
【０００６】
本発明は、頭髪、紙、布等の切断時に指先操作で一方の刃体を拗らせなくても両刃体の刃が浮き上がることのないようにし、これにより切れ味を良好にした鋏を提供することを目的とする。
【課題を解決するための手段】
【０００７】
請求項１に係わる発明は、指環部を備えた第１の刃体と第２の刃体を基部に形成した平坦部において枢軸により回動自在に軸着すると共に、第１又は第２の刃体より突出する枢軸に座金を介して緊締ナットが捩じ込まれる鋏であって、上記座金が高剛性をなし、しかも該座金には枢軸両側の刃体幅方向で第１又は第２の刃体に当たる突部と、枢軸後方又は前方で第１又は第２の刃体に係合して座金の回り止めを行う係止手段を設けたことを特徴とする。
【０００８】
本発明における突部としては、刃体に点または線接触する突起や突条が望まれるが、より望ましくは折曲部で構成される。プレスで打抜き成形加工することにより、低コストで簡易に突部を備えた座金を得ることができる。
【０００９】
また係止手段は、特許文献１に開示されるような差込部であってもよいが、好ましくは、座金に捩じ込まれ、座金からの突出端が第１又は第２の刃体に形成される凹部に嵌合係止する調節ネジで構成される。
【００１０】
請求項２に係わる発明は、請求項１に係わる発明において、上記係止手段が座金に捩じ込まれ、座金からの突出端が第１又は第２の刃体に形成される凹部に嵌合係止する調節ネジで構成されることを特徴とする。
【発明の効果】
【００１１】
請求項１に係わる発明によると、緊締ナットの捩じ込みにより座金は第１又は第２の刃体に３点当たりして、枢軸両側の突部が第１又は第２の刃体を確実に押え、頭髪や紙、布等の切断時に両刃体の刃が浮き上がるのを阻止して密着させ、良好な切れ味を維持させる。
【００１２】
請求項２に係わる発明によると、調節ネジが凹部に嵌合係止することにより、緊締ナット捩込み時の座金の回り止めが行われると共に、調節ネジの捩込みを調節することにより座金後部又は前部が浮き沈みして突部から刃体に加わる力を加減し、これにより両刃体の加圧力が微調整され、鋏開閉の操作を微調整することができる。
【発明を実施するための最良の形態】
【００１３】
図３は、座金１１を取付けた本発明に係わる理髪用鋏の要部を示すものであり、図４はＢ−Ｂ線断面、図５は同Ｃ−Ｃ線断面を示すものである。なお、図１及び図２に示す鋏と同一構造部分には同一符号を示してある。
【００１４】
座金１１は、プレスで打ち抜き成形加工されて図３に示すように、一側に枢軸７がルーズに嵌挿される軸孔１２が形成されると共に、他側にネジ孔１３が形成され、刃体幅方向の軸孔１２の両側には同じ高さの突部１４が折曲形成されて座金１１の剛性を高めている。
【００１５】
第１及び第２の刃体３、４を基部の平坦部において軸着する枢軸７には、刃体４から突出するネジ部に座金１１の軸孔１２が通され、ついで緊締ナット１６が捩込まれるようになっており、またネジ孔１３に捩込まれた調節ネジ１７が刃体４に形成された凹部１８に嵌合係止することにより緊締ナット捩込み時の座金１１の回り止めが行われるようになっている。
図３に示す例では、調節ネジ１７は、枢軸７の後部に設けられているが、前部に設けることもできる。
【００１６】
本実施形態の理髪用鋏は、以上のように構成され、枢軸７の両側で刃体４を押えているので、該刃体が図２の一点鎖線で示すような状態はもとよりのこと、実線で示すような状態に開いて浮くことはなく、頭髪等の切断時に両刃体の刃先を確実に密着させて良好な切れ味を保つことができること、座金１１は、緊締ナット１６の捩じ込みにより両突部１４と調節ネジ１７の三か所で刃体４に３点当たりして支持されることにより、両突部１４が刃体４に確実に当たって刃体１４を押付けることができること、調節ネジ１７は、刃体４の凹部１８に嵌合係止することにより座金１１の回転止めを行うと共に、捩込みにより突部１４から刃体４に加わる力を加減し、両刃体３、４の圧着力を微調整することができること等の効果を奏するものである。
【産業上の利用可能性】
【００１７】
本発明は、美容院や理容院で用いられる頭髪等を切断する理髪用鋏ばかりでなく、紙や布等を切断する鋏にも適用することができる。
【図面の簡単な説明】
【００１８】
【図１】従来の理髪用鋏の平面図。
【図２】図１のＡ−Ａ線断面図。
【図３】本発明に係わる理髪用鋏の要部の平面図。
【図４】図３のＢ−Ｂ線断面図。
【図５】同Ｃ−Ｃ線断面図。
【符号の説明】
【００１９】
１、２・・指環部
３、４・・刃体
５、６・・平坦部
７・・枢軸
１１・・座金
１２・・軸孔
１３・・ネジ孔
１４・・突部
１６・・緊締ナット
１７・・調節ネジ
１８・・凹部
【図１】
2006068183.tif 000003
【図２】
2006068183.tif 000004
【図３】
2006068183.tif 000005
【図４】
2006068183.tif 000006
【図５】
2006068183.tif 000007